(57)【特許請求の範囲】
【請求項１】
磁気共鳴装置のテーブル上に仰向けに載置された被検者の頭部を支持するまたは前記頭部に装着される基部と、
前記被検者の顔を撮像する撮像部と、
前記被検者の音声を入力する音声入力部と、
前記撮像部および音声入力部を支持する支持部であって、前記頭部の左右両側にわたって曲がって延びる形状を有しており、前記撮像部および音声入力部が前記頭部の正面側と頭頂側とに移動するよう、該支持部の両端部が前記基部に回動可能に取り付けられている支持部と、を備えたモニタ装置。
【請求項２】
前記撮像部および音声入力部は、前記支持部の長手方向の中央部近傍に設けられている請求項１に記載のモニタ装置。
【請求項３】
前記基部に取り付けられており、ガントリの空洞部内面に前記被検者に見せるための画像を投影する投影部をさらに備えた請求項１または請求項２に記載のモニタ装置。
【請求項４】
前記投影部は、複数のチャネルによる画像を切り換えてまたは同時に投影する請求項３に記載のモニタ装置。
【請求項５】
前記頭部の両耳を塞ぐための左右の耳塞部であって、その少なくとも一方に前記被検者に聞かせる音声を出力する音声出力部を内蔵している左右の耳塞部をさらに備えた請求項１から請求項４のいずれか一項に記載のモニタ装置。
【請求項６】
前記基部は、前記テーブルに設置され、前記頭部を支持するよう形成されている請求項１から請求項５のいずれか一項に記載のモニタ装置。
【請求項７】
前記基部は、前記被検者の頭部に設置されるヘッドコイルが着脱可能となるように形成されている請求項６に記載のモニタ装置。
【請求項８】
前記基部に設けられた把持部をさらに備えた請求項６または請求項７に記載のモニタ装置。
【請求項９】
前記基部は、前記頭部に装着されるヘッドコイルである請求項１から請求項５のいずれか一項に記載のモニタ装置。
【請求項１０】
前記基部は、前記左右の耳塞部および該左右の耳塞部を繋ぐ部材である請求項１から請求項５のいずれか一項に記載のモニタ装置。
【請求項１１】
請求項１から請求項１０のいずれか一項に記載のモニタ装置を備えた磁気共鳴装置。
【発明の詳細な説明】
【技術分野】
【０００１】
本発明は、被検体の像および声をモニタ（monitor）するためのモニタ装置およびそのモニタ装置を有する磁気共鳴装置に関する。
【背景技術】
【０００２】
磁気共鳴撮影では、被検者はテーブル（table）に載置され、閉塞感のあるマグネットシステム（magnet system）のボア（bore）内に比較的長時間滞在することが多い。このことが被検者に不安や肉体的な苦痛を与え、平常状態を維持できなくなることがある。そのような状況を迅速に察知して適正な対応を行うためにも、撮影中に被検者の顔や音声をモニタリング（monitoring）することは非常に重要である。
【０００３】
そこで、従来、被検者の顔を撮像するためのカメラ（camera）と、被検者の音声を拾うためのマイク（microphone）とを、マグネットシステムのボア内に設置してモニタリングする方法が提案されている（特許文献１，要約等参照）。
【先行技術文献】
【特許文献】
【０００４】
【特許文献１】特開２００２−１０２２０３号公報
【発明の概要】
【発明が解決しようとする課題】
【０００５】
しかしながら、カメラおよびマイクをボアの壁内に設置する方法では、被検者が載置されたテーブルの位置が変化すると、カメラと頭部との位置関係や、マイクと頭部との距離が変化してしまい、カメラおよびマイクを適正な配置に保つことが難しい。また、カメラおよびマイクを被検者やテーブルに装着することも考えられるが、その着脱や位置合わせなどのセッティング（setting）作業は非常に煩雑であり、時間も掛かる。
【０００６】
このような事情により、テーブルの位置に依らず被検者の顔や音声を常に適正に捉えることが可能であり、かつ、セッティングが簡便なモニタリング技術が望まれている。
【課題を解決するための手段】
【０００７】
第１の観点の発明は、
磁気共鳴装置のテーブル上に仰向けに載置された被検者の頭部を支持するまたは前記頭部に装着される基部と、
前記被検者の顔を撮像する撮像部と、
前記被検者の音声を入力する音声入力部と、
前記撮像部および音声入力部を支持する支持部とを備えており、
前記支持部が、前記撮像部および音声入力部が前記頭部の正面側と頭頂側とに移動するよう、前記基部に回動可能に取り付けられているモニタ装置を提供する。
【０００８】
第２の観点の発明は、
前記支持部が、前記頭部の左右両側にわたって曲がって延びる形状であり、その両端部が前記基部に回動可能に取り付けられており、
前記撮像部および音声入力部が、前記支持部の長手方向の中央部近傍に前記頭部に対向して設けられている上記第１の観点のモニタ装置を提供する。
【０００９】
第３の観点の発明は、
前記基部に取り付けられており、ガントリ（gantry）の空洞部内面に前記被検者に見せるための画像を投影する投影部をさらに備えた上記第１の観点または第２の観点のモニタ装置を提供する。
【００１０】
第４の観点の発明は、
前記投影部が、複数のチャネル（channel）による画像を切り換えてまたは同時に投影する上記第３の観点のモニタ装置を提供する。
【００１１】
第５の観点の発明は、
前記頭部の両耳を塞ぐための左右の耳塞部であって、その少なくとも一方に前記被検者に聞かせる音声を出力する音声出力部を内蔵している左右の耳塞部をさらに備えた上記第１の観点から第４の観点のいずれか一つの観点のモニタ装置を提供する。
【００１２】
第６の観点の発明は、
前記基部が、前記テーブルに設置され、前記頭部を支持するよう形成されている上記第１の観点から第５の観点のいずれか一つの観点のモニタ装置を提供する。
【００１３】
第７の観点の発明は、
前記基部が、前記被検者の頭部に設置されるヘッドコイル（head coil）が着脱可能となるように形成されている上記第６の観点のモニタ装置を提供する。
【００１４】
第８の観点の発明は、
前記基部に設けられた把持部をさらに備えた上記第６の観点または第７の観点のモニタ装置を提供する。
【００１５】
第９の観点の発明は、
前記基部が、前記頭部に装着されるヘッドコイルである上記第１の観点から第５の観点のいずれか一つの観点のモニタ装置を提供する。
【００１６】
第１０の観点の発明は、
前記基部が、前記左右の耳塞部および該左右の耳塞部を繋ぐ部材である上記第１の観点から第５の観点のいずれか一つの観点のモニタ装置を提供する。
【００１７】
第１１の観点の発明は、
上記第１の観点から第１０の観点のいずれか一つの観点のモニタ装置を備えた磁気共鳴装置を提供する。
【発明の効果】
【００１８】
上記観点の発明によれば、頭部を基部に嵌めるだけで、音声入力部および撮像部の被検者に対する相対位置を固定することができる。また、基部を頭部に対して付け外しするときには、支持部を頭頂側に回動させることで付け外しを容易にし、使用時は、支持部を顔の前方側に回動させることで音声入力部および撮像部の位置合わせを容易に行うことができる。これにより、テーブルの位置に依らず被検者の顔や音声を常に適正に捉えることが可能であり、かつ、セッティングが簡便なモニタリングを実現できる。
【図面の簡単な説明】
【００１９】
【図１】第１の実施形態に係るＭＲＩ装置を示す図である。
【図２】第１のモニタ装置であるヘッドギア（headgear）の構成を示す図である。
【図３】ヘッドコイルが装着されたヘッドギアを示す図である。
【図４】プロジェクタ（projector）からマグネットシステムのボアの内面に画像が投影される様子を示す図である。
【図５】投影画像の一例を示す図である。
【図６】第２の実施形態に係る第２のモニタ装置の構成を示す図である。
【図７】第３の実施形態に係る第３のモニタ装置の構成を示す図である。
【発明を実施するための形態】
【００２０】
以下、発明の実施形態について説明する。なお、これにより、発明が限定されるものではない。
【００２１】
（第１の実施形態）
図１に、発明の実施形態に係るＭＲＩ装置を示す。
【００２２】
ＭＲＩ装置１００は、マグネットシステム（ガントリ）１０、テーブル２０、オペレータコンソール（operator console）３０、およびインターコムシステム（intercom）４０を備えている。
【００２３】
マグネットシステム１０は、オペレータコンソール３０による制御の下、所定のスキャン（scan）条件でスキャンを行い、テーブル２０は、所定の部位がスキャンされるように、被検者８１の位置決めを行う。
【００２４】
マグネットシステム１０は、主磁場コイル（coil）部１１、勾配コイル部１２、ＲＦコイル部１３を有している。スキャンは、マグネットシステム１０が、これらのコイル部を駆動し、テーブル２０によって搬入される被検者８１に、静磁場、勾配磁場、ＲＦ磁場を与えて、被検者８１から磁気共鳴信号を収集することにより行われる。このスキャンによって得られたスキャンデータ（scan data）は、オペレータコンソール３０に入力される。
【００２５】
なお、主磁場コイル部１１は、例えば超電導コイル等で構成されるが、常電導コイルで構成してもよく、主磁場コイル部１１に代えて永久磁石を用いるようにしてもよい。また、磁気共鳴信号の受信は、ＲＦコイル部１３で行うが、別途設けた専用の受信コイルで行うようにしてもよい。
【００２６】
オペレータコンソール３０は、ワークステーション（workstation）などのコンピュータ（computer）により構成されており、所定のプログラム（program）を実行することにより動作する。オペレータコンソール３０は、スキャン計画処理を実行し、オペレータ（操作者）の操作に応じてスキャンパラメータ（scan parameter）を設定する。また、オペレータコンソール３０は、設定されたスキャンパラメータでスキャンを行うべく、マグネットシステム１０およびテーブル２０の動作を制御する。さらに、オペレータコンソール３０は、マグネットシステム１０から入力されたスキャンデータ（scan data）に基づいて画像再構成を行い、再構成した画像をディスプレイ（display）３２に表示させる。
【００２７】
インターコムシステム４０は、被検者８１と、オペレータ８２と、被検者の家族などである付添人８３との間で、双方向のコミュニケーションを可能にする通信連絡システムである。このインターコムシステム４０により、オペレータ８２は、被検者８１の顔や音声を基に被検者８１の状況をモニタリングすることができる。また、被検者８１は、オペレータ８２や付添人の顔を音声を見たり聞いたりして、不安や閉塞感を抑えることができる。
【００２８】
インターコムシステム４０は、第１の撮像部４１ｃ、第１の音声入力部４１ｍ、第１の画像表示部４１ｄ、第１の音声出力部４１ｓ、第１の送受信部４１ｔ、第２の撮像部４２ｃ、第２の音声入力部４２ｍ、第２の画像表示部４２ｄ、第２の音声出力部４２ｓ、第２の送受信部４２ｔ、第３の撮像部４３ｃ、第３の音声入力部４３ｍ、第３の画像表示部４３ｄ、第３の音声出力部４３ｓ、および第３の送受信部４３ｔを備えている。
【００２９】
なお、本例では、第１〜第３の撮像部４１ｃ〜４３ｃは、ＣＣＤカメラであり、第１〜第３の音声入力部４１ｍ〜４３ｍは、マイクである。第１の画像表示部４１ｄは、プロジェクタであり、第２および第３の画像表示部４２ｄ，４３ｄは、ディスプレイモニタである。また、第１〜第３の音声出力部４１ｓ〜４３ｓは、スピーカ（speaker）である。
【００３０】
第１の撮像部４１ｃ〜第１の送受信部４１ｔは、ヘッドギア（head gear）４１に設置されている。ヘッドギア４１は、スキャンルーム（scan room）ＳＲ内のテーブル２０に載置された被検者８１の頭部８１ｈを保持するための治具であり、詳細は後述する。第２の撮像部４２ｃ〜第２の送受信部４２ｔは、スキャンルームＳＲとは別室のオペレータルーム（operator room）ＯＲ内のオペレータコンソール３０に設置されている。第３の撮像部４３ｃ〜第３の送受信部４３ｔは、スキャンルームＳＲおよびオペレータルームＯＲとは別室のウェイティングルーム（waiting room）ＷＲ内に設置されている。
【００３１】
第１の撮像部４１ｃで得られた第１の画像（映像）信号５１ｃは、各送受信部を介して、第２の画像表示部４２ｄおよび第３の画像表示部４３ｄに送信される。また、第１の音声入力部４１ｍで得られた第１の音声信号５１ｍは、各送受信部を介して、第２の音声出力部４２ｓおよび第３の音声出力部４３ｓに送信される。
【００３２】
第２の撮像部４２ｃで得られた第２の画像（映像）信号５２ｃは、各送受信部を介して、第１の画像表示部４１ｄおよび第３の画像表示部４３ｄに送信される。また、第２の音声入力部４２ｍで得られた第２の音声信号５２ｍは、各送受信部を介して、第１の音声出力部４１ｓおよび第３の音声出力部４３ｓに送信される。
【００３３】
第３の撮像部４３ｃで得られた第３の画像（映像）信号５３ｃは、各送受信部を介して、第１の画像表示部４１ｄおよび第２の画像表示部４２ｄに送信される。また、第３の音声入力部４３ｍで得られた第３の音声信号５３ｍは、各送受信部を介して、第１の音声出力部４１ｓおよび第２の音声出力部４２ｓに送信される。
【００３４】
各画像表示部および音声出力部は、受信した２つの異なるチャネルの画像および音声を、切り換えてまたは同時に出力することができる。つまり、被検者８１は、第１の音声出力部４１ｓにより、オペレータ８２や付添人８３の音声を聞くことができ、第１の画像表示部４１ｄにより、オペレータ８２や付添人８３の顔を見ることができる。また、オペレータ８２は、第２の音声出力部４２ｓにより、被検者８１や付添人８３の音声を聞くことができ、第２の画像表示部４２ｄにより、被検者８１や付添人８３の顔を見ることができる。同様に、付添人８３は、第３の音声出力部４３ｓにより、被検者８１やオペレータ８２の音声を聞くことができ、第３の画像表示部４３ｄにより、被検者８１やオペレータ８２の顔を見ることができる。
【００３５】
これにより、被検者８１と、オペレータ８２と、付添人８３との間で、音声および画像（映像）による双方向のコミュニケーション（communication）が可能となる。
【００３６】
次に、ヘッドギア４１の構成について説明する。
【００３７】
図２は、ヘッドギアの構成を示す図であり、（ａ）は平面図、（ｂ）は側面図、（ｃ）は斜視図である。
【００３８】
ヘッドギア４１は、主要部として、ヘッドレスト（headrest）部（基部）４１１、支持部（支持部）４１２、耳パッド（pad）（耳塞部）４１３、パッド頭幅調整機構４１４、位置調整ハンドル（handle）（把持部）４１５、傾斜角度調整機構４１６を備えている。また、ヘッドギア４１は、インターコム４０の一部として、第１の撮像部４１ｃ、第１の音声入力部４１ｍ、第１の画像表示部４１ｄ、第１の音声出力部４１ｓ、および第１の送受信部４１ｔを備えている。なお、ヘッドギア４１は、すべて非磁性体で構成されている。
【００３９】
ヘッドレスト部４１１は、概ね厚みのある板ブロック（block）形状を有しており、その上面に頭部８１ｈを載置するための凹部４１１ｈが形成されている。この凹部４１１ｈは柔らかい素材、例えばウレタン（urethane）により構成されている。
【００４０】
支持部４１２は、ヘッドレスト部４１１に載置された頭部８１ｈの左右両側にわたって曲がって延びる形状を有している。本例では「コ」の字形状であるが、円弧状であってもよい。支持部４１２の両端部は、ヘッドレスト部４１１の左右側面に回動可能に取り付けられている。そして、支持部４１２の長手方向のほぼ中央部に、第１の撮像部４１ｃおよび第１の音声入力部４１ｍが設けられている。支持部４１２は、第１の撮像部４１ｃおよび第１の音声入力部４１ｍを一端部に設けるアーム形状であってもよいが、本例の方が安定で振動に強い。第１の音声入力部４１ｍの集音面および第１の撮像部４１ｃの集光面は、ヘッドレスト部４１１に載置された頭部８１ｈに対向するような向きで配置されている。支持部４１２は、回動により、載置された頭部８１ｈの正面側ｆと頭頂側ｕとに移動可能である。なお、この頭頂側ｕの位置を、以下、支持部４１２のホームポジション（home position）という。
【００４１】
耳パッド４１３は、ヘッドレスト部４１１の凹部内側の左右側面に１つずつ設けられており、その位置を頭部８１ｈの左右方向の幅に合わせて調整できるよう、パッド頭幅調整機構４１４を有している。被検者８１の両耳を耳パッド４１３でしっかり押さえることで、周囲の騒音が被検者８１に極力聞こえないようにするだけでなく、頭部８１ｈを保持してその位置を固定することができる。また、耳パッド４１３には、第１の音声出力部４１ｓが内蔵されており、オペレータ８２や付添人８３の音声、被検者８１がリラックス（relax）できる音楽などが、その第１の音声出力部４１ｓを通して聞こえるようになっている。
【００４２】
パッド頭幅調整機構４１４は、本例ではネジ式であり、ヘッドレスト部４１１の左右側面に設けられた頭幅調整ノブ（knob）４１４ｎを回すことにより、耳パッド４１３が左右方向に移動する仕組みである。
【００４３】
位置調整ハンドル４１５は、ヘッドレスト部４１１の左右側面に１つずつ取り付けられている。オペレータ８２は、テーブル２０上でヘッドギア４１の位置を調整する際に、この位置調整ハンドル４１５を持って移動させる。
【００４４】
ヘッドレスト部４１１は、その傾斜角度を被検者８１の体格や骨格に合わせて調整できるよう、傾斜角度調整機構４１６を有している。
【００４５】
傾斜角度調整機構４１６は、本例では、パンタグラフジャッキ（pantograph jack）式であり、ヘッドレスト部４１１の左右側面に設けられた角度調整ノブ４１６ｎを回すことにより、ヘッドレスト部４１１の傾斜角度が変化する仕組みになっている。
【００４６】
ヘッドレスト部４１１は、頭部８１ｈの頭頂側ｕに、第１の画像表示部４１ｄを有している。第１の画像表示部（プロジェクタ）４１ｄの投影レンズは、頭部８１ｈの正面側ｆを向いており、ヘッドギア４１がマグネットシステム１０のボア１０Ｂ内に位置するときに、そのボアの内面上方に画像が投影されるようになっている。投影される画像には、オペレータ８２や付添人８３の顔の他、オペレータコンソール３０から得られた撮影時間やその進捗状況、息止めのタイミングを示す情報などが含まれている。
【００４７】
ヘッドレスト部４１１には、第１の送受信部４１ｔが内蔵されており、第１の撮像部４１ｃ、第１の音声入力部４１ｍ、第１の画像表示部４１ｄ、第１の音声出力部４１ｓと接続されている。第１の送受信部４１ｔは、これらの各デバイス（device）および第２の送受信部４２ｔとの間で各種信号の送受信を行う。なお、第１の送受信部４１ｔと第２の送受信部４２ｔとの接続は、有線、無線のどちらでもよい。
【００４８】
なお、ヘッドギア４１は、図３に示すように、ヘッドコイルの着脱が可能なように形成されている。
【００４９】
以下、ヘッドギアを用いた撮影の流れについて説明する。
【００５０】
まず、オペレータ８２は、ヘッドギア４１をテーブル２０上に載置する。また、支持部４１２を、被検者８１の頭部８１ｈを載置する作業の邪魔にならないように、ホームポジションに移動させておく。さらに、オペレータ８２は、被検者８１の付添人８３をウェイティングルームＷＲに入室させ、インターコム４０による双方向コミュニケーションへの参加を促す。
【００５１】
次に、オペレータ８２は、被検者８１を誘導してテーブル２０上に仰向けに載置し、位置調整ハンドル４１５を握ってヘッドギア４１の位置を調整しながら、頭部８１ｈをヘッドギア４１のヘッドレスト部４１１に載置する。また、角度調整ノブ４１６ｎを回して、ヘッドレスト部４１１の傾斜角度を調整する。そして、頭幅調整ノブ４１４ｎを回して、耳パッド４１３の位置を調整し、被検者８１の両耳を塞いで頭部８１を固定、保持する。
【００５２】
次に、支持部４１２を頭部８１の正面（顔の前方）側に移動させ、第１の撮像部４１ｃおよび第１の音声入力部４１ｍで被検者８１の顔および音声を的確に捉えることができる適正な位置に調整する。
【００５３】
撮影準備が整ったら、インターコムシステム４０をオンにして、画像と音声による双方向コミュニケーションを可能な状態にし、撮影を開始する。
【００５４】
撮影中、被検者８１がボア内に搬送されると、図４に示すように、第１の画像表示部（プロジェクタ）４１ｄからマグネットシステム１０のボアの内面に画像Ｇが投影される。
【００５５】
図５に、投影される画像の一例を示す。投影される画像Ｇには、図５に示すように、オペレータ８２の顔と、付添人８３の顔とが含まれている。また、この画像Ｇには、さらに、オペレータコンソール３０にて生成されたスキャンに関する情報、例えば、スキャン所要時間とその進捗とを表す情報、息止めのタイミングを示す情報等が含まれている。
【００５６】
このようなインターコムシステム４０により、被検者８１は、撮影中、オペレータ８２の顔だけでなく付添人８３の顔も見ることができ、また、オペレータ８２や付添人８３の音声も聞くことができる。これにより、被検者８１は、不安や閉塞感を和らげることができる。撮影に必要な指示を、画像中の情報やオペレータ８２の音声により受けることもできる。被検者８１が体調不良である場合や要望・質問がある場合には、オペレータ８２は、その顔の表情や音声で理解することができる。
【００５７】
また、第１の撮像部４１ｃ、第１の音声入力部４１ｍ、および第１の画像表示部４１ｄは、被検者の頭部８１ｈに対する相対位置が常に一定であるから、被検者８１がマグネットシステムのボア１０Ｂに対して移動しても、常に最適の環境で、被検者８１の顔や音声を捉えたり、画像を投影したりすることができる。
【００５８】
撮影が終了したら、オペレータ８２は、被検者８１をボアから搬出する。そして、支持部４１２をホームポジションに戻し、頭幅調整ノブ４１４ｎを回して耳パッド４１３を外し、被検者８１を起こしてスキャンルームＳＲからの退室を促す。
【００５９】
以上、本実施形態によれば、頭部８１ｈをヘッドギア４１のヘッドレスト部４１１に嵌めるだけで、第１の撮像部４１ｃおよび第１の音声入力部４１ｍの被検者８１に対する相対位置を固定することができる。また、ヘッドレスト部４１１を頭部８１ｈに対して付け外しするときには、支持部４１２を頭頂側のホームポジションに回動させることで付け外しを容易にし、使用時は、支持部４１２を顔の前方側に回動させることで第１の撮像部４１ｃおよび第１の音声入力部４１ｍの位置合わせを容易に行うことができる。これにより、テーブル２０の位置に依らず被検者８１の顔や音声を常に適正に捉えることが可能であり、かつ、セッティングが簡便なモニタリングを実現できる。
【００６０】
また、本実施形態では、ヘッドギア４１がプロジェクタ４１ｄを有しているので、テーブル２０の位置に依らず、被検者８１に対する画像の投影位置を固定することができ、常に画像を被検者８１が見やすい適正な位置に投影することができる。
【００６１】
また、本実施形態では、ヘッドギア４１が耳パッド４１３及び頭幅調整機構４１４を有しているので、騒音の抑制と頭部の保持とを同時に行うことができ、利便性がよい。
【００６２】
また、本実施形態では、ヘッドギア４１は、ヘッドコイルの着脱が可能なように形成されているので、ヘッドギア４１を外すことなく、そのままヘッドコイルを装着することができ、利便性がよい。
【００６３】
（第２の実施形態）
第１の実施形態におけるヘッドギアタイプの第１のモニタ装置（ヘッドギア４１）に代えて、図６に示すようなヘッドフォンタイプの第２のモニタ装置６１を用いてもよい。
【００６４】
第２のモニタ装置６１は、主要部として、耳パッド（耳塞部，基部）６１１、板バネ６１２、支持部（支持部）６１３を備えている。また、インターコム４０の一部として、第１の撮像部４１ｃ、第１の音声入力部４１ｍ、第１の画像表示部４１ｄ、第１の音声出力部４１ｓ、および第１の送受信部４１ｔを備えている。なお、第２のモニタ装置６１は、すべて非磁性体で構成されている。
【００６５】
左右の耳パッド６１１および板バネ６１２は、いわゆるヘッドフォン（headphone）を構成している。つまり、左右の耳パッド６１１は板バネ６１２を介して接続されており、この板バネ６１２は、その弾性により、被検者８１の頭部８１ｈの両耳を塞ぐように作用する。左右の耳パッド６１１には第１の音声出力部４１ｓが内蔵されている。また、一方の耳パッド６１１には、第１の送受信部４１ｔが内蔵されている。
【００６６】
支持部６１３は、アーム（arm）形状を有しており、その一端部は、一方の耳パッド６１１に回動可能に取り付けられている。そして、その他端部には、第１の撮像部４１ｃおよび第１の音声入力部４１ｍが設けられている。第１の撮像部４１ｃおよび第１の音声入力部４１ｍは、この支持部６１３を回動させることにより、頭部８１ｈの正面側ｆと頭頂側ｕとに移動する。
【００６７】
また、板バネ６１２は、第１の画像表示部（プロジェクタ）４１ｄ有しており、その投射レンズは、頭部８１ｈの正面側ｆを向いている。
【００６８】
このような第２のモニタ装置６１の場合にも、テーブル２０の位置に依らず被検者８１の顔や音声を常に適正に捉えることが可能であり、かつ、セッティングが簡便なモニタリングを実現できる。
【００６９】
（第３の実施形態）
ヘッドギア４１に代えて、図７に示すようなヘッドコイルタイプの第３のモニタ装置７１を用いてもよい。
【００７０】
第３のモニタ装置７１は、主要部として、ヘッドコイル部（基部）７１１、耳パッド（耳塞部）７１２、パッド頭幅調整機構７１３、支持部（支持部）７１４を備えている。また、インターコム４０の一部として、第１の撮像部４１ｃ、第１の音声入力部４１ｍ、第１の画像表示部４１ｄ、第１の音声出力部４１ｓ、および第１の送受信部４１ｔを備えている。なお、第３のモニタ装置７１は、すべて非磁性体で構成されている。
【００７１】
ヘッドコイル部７１１は、頭部８１ｈからの磁気共鳴信号を受信するためのコイルである。ヘッドコイル部７１１は、概ね筒形状の骨組みを有しており、その骨の中を通るようにコイルが巻かれている。
【００７２】
耳パッド７１２は、ヘッドコイル部７１１の内側の左右側面に１つずつ設けられており、パッド頭幅調整機構７１３を有している。左右の耳パッド７１２には第１の音声出力部４１ｓが内蔵されている。また、一方の耳パッド７１２には、第１の送受信部が内蔵されている。
【００７３】
支持部７１４は、頭部８１ｈの左右側にわたって曲がって延びる円弧形状を有している。支持部７１４の両端部は、ヘッドコイル部７１１の左右側面に回動可能に取り付けられている。そして、支持部７１４の長手方向のほぼ中央部に、第１の撮像部４１ｃおよび第１の音声入力部４１ｍが設けられている。第１の音声入力部４１ｍの集音面および第１の撮像部４１ｃの集光面は、ヘッドレスト部４１１に載置された頭部８１ｈに対向するような向きで配置されている。支持部７１４は、回動により、載置された頭部８１ｈの正面側ｆと頭頂側ｕとに移動可能である。
【００７４】
ヘッドコイル部７１１は、頭部８１ｈの頭頂側にプロジェクタ４１ｄ有しており、その投射レンズは、頭部８１ｈの正面側を向いている。
【００７５】
このような第３のモニタ装置７１の場合にも、テーブル２０の位置に依らず被検者８１の顔や音声を常に適正に捉えることが可能であり、かつ、セッティングが簡便なモニタリングを実現できる。また、ヘッドコイルを兼ねているので、ヘッドコイルを用いた撮影を行う際に、特別な準備作業なしに、そのまま使用することができる。
【符号の説明】
【００７６】
１０  マグネットシステム
１１  主磁場コイル部
１２  勾配コイル部
１３  ＲＦコイル部
２０  テーブル
３０  オペレータコンソール
４０  インターコムシステム
４１  ヘッドギア
４１１  ヘッドレスト部
４１１ｈ  凹部
４１２  支持部
４１３  耳パッド
４１４  パッド頭幅調整機構
４１４ｎ  頭幅調整ノブ
４１５  位置調整ハンドル
４１６  傾斜角度調整機構
４１６ｎ  角度調整ノブ
４１ｃ  第１の撮像部
４１ｍ  第１の音声入力部
４１ｄ  第１の画像表示部
４１ｓ  第１の音声出力部
４１ｔ  第１の送受信部４１ｔ
４２ｃ  第２の撮像部
４２ｍ  第２の音声入力部
４２ｄ  第２の画像表示部
４２ｓ  第２の音声出力部
４２ｔ  第２の送受信部
４３ｃ  第３の撮像部
４３ｍ  第３の音声入力部
４３ｄ  第３の画像表示部
４３ｓ  第３の音声出力部
４３ｔ  第３の送受信部
５１ｃ  第１の画像信号
５１ｍ  第１の音声信号
５２ｃ  第２の画像信号
５２ｍ  第２の音声信号
５３ｃ  第３の画像信号
５３ｍ  第３の音声信号
６１  第２のモニタ装置
６１１  耳パッド
６１２  板バネ
６１３  支持部
７１１  ヘッドコイル部
７１２  耳パッド
７１３  パッド頭幅調整機構
７１４  支持部
８１  被検者
８１ｈ  頭部
８２  オペレータ
８３  付添人
１００  ＭＲＩ装置
【図１】
0005897340.tif 000002
【図２】
0005897340.tif 000003
【図３】
0005897340.tif 000004
【図４】
0005897340.tif 000005
【図５】
0005897340.tif 000006
【図６】
0005897340.tif 000007
【図７】
0005897340.tif 000008